(57)【要約】　　　（修正有）【課題】簡単な構成で、ＰＣを実質的に移動することが出来ないようにして、盗難防止の効果を図ることが出来るロック用組体を提供する。【解決手段】ＬＡＮケーブル用コネクタ１０６の差込口１０４への挿入状態をロックし、取り外された状態において、コネクタ１０６を差込口から抜き取り可能としていて、周方向に分離可能に設けられ、組み付けられた状態でコネクタの外周を、実質的に密着する状態で取り囲むようになされた第１及び第２の囲繞体１２，１４と、第１の囲繞体１２に設けられ、コネクタの外周を取り囲むように組み付けられた状態で、コネクタに対してのこれの軸方向に沿う移動を係止する係止用突起と、第２の囲繞体１４に設けられ、コネクタの外周を取り囲むように組み付けられた状態で、コネクタに備えられたラッチ用フラッパｌ１０のラッチ解除方向の動きを規制する規制片１８とを具備することを特徴としている。【選択図】　　　　図２
0003098991.tif 000002
【実用新案登録請求の範囲】
【請求項１】
　ＬＡＮケーブルの先端に一体的に取り付けられ、抜き取り可能にコンピュータの差込口に挿入されて、その挿入状態をラッチされるＬＡＮケーブル用コネクタに着脱自在に取り付けられ、取り付け状態において、前記ＬＡＮケーブル用コネクタの前記差込口への挿入状態をロックし、取り外された状態において、前記ＬＡＮケーブル用コネクタを前記差込口から抜き取り可能とするロック用組体であって、
　周方向に分離可能に設けられ、組み付けられた状態で前記ＬＡＮケーブル用コネクタの外周を、実質的に密着する状態で取り囲むようになされた第１及び第２の囲繞体と、
　前記第１の囲繞体に設けられ、前記コネクタの外周を取り囲むように組み付けられた状態で、前記コネクタに対してのこれの軸方向に沿う移動を係止する係止手段と、
　前記第２の囲繞体に設けられ、前記コネクタの外周を取り囲むように組み付けられた状態で、前記ＬＡＮケーブル用コネクタに備えられたラッチ用フラッパのラッチ解除方向の動きを規制する規制手段と、
を具備することを特徴とするロック用組体。
【請求項２】
　前記第１及び第２の囲繞体の一方は、前記コネクタの外周を構成する４つの面のうちの３つの面を覆うように形成され、
　前記第１及び第２の囲繞体の他方は、前記コネクタの外周を構成する４つの面のうちの残りの１つの面を覆うように形成されていることを特徴とする請求項１に記載のロック用組体。
【請求項３】
　前記第１の囲繞体が、前記コネクタの外周を構成する４つの面のうちの３つの面を覆うように形成され、
　前記第２の囲繞体が、前記コネクタの外周を構成する４つの面のうちの残りの１つの面を覆うように形成されていることを特徴とする請求項２に記載のロック用組体。
【請求項４】
　前記係止手段は、前記コネクタの、前記ラッチ用フラッパが設けられた面以外の側の面に形成された溝に係止される係止用突起を備えることを特徴とする請求項１に記載のロック用組体。
【請求項５】
　前記溝は、前記コネクタの、前記ラッチ用フラッパが設けられた面とは反対側の面に形成されていることを特徴とする請求項４に記載のロック用組体。
【請求項６】
　前記ラッチ用フラッパは、これが取り付けられたコネクタの面に向けて押し込まれることにより、前記ラッチを解除されるように設定されており、
　前記規制手段は、前記第１及び第２の囲繞体が前記コネクタの外周を取り囲むように組み付けられた状態で、前記第２の囲繞体から前記ラッチ用フラッパの根元付近まで延出し、該ラッチ用フラッパの押し込み方向の偏倚を規制する規制片を備えることを特徴とする請求項１に記載のロック用組体。
【請求項７】
　前記第１及び第２の囲繞体は、錠前により、互いに分離不能に連結され、錠前が開錠されることにより、互いに分離可能となることを特徴とする請求項１に記載のロック用組体。
【請求項８】
　前記第１及び第２の囲繞体は、前記コネクタの外周を取り囲むように組み付けられた状態で、互に重ねあわされる部分を有し、
　該重ね合わされ部分には、前記錠前のロック竿が相通されるロック穴が、互に連通する状態で形成されていることを特徴とする請求項７に記載のロック用組体。
【考案の詳細な説明】
【技術分野】
【０００１】　この考案は、ＬＡＮケーブルの先端に一体的に取り付けられ、コンピュータ（以下、単にＰＣと呼ぶ。）側の差込口に抜き差し自在に設けられたコネクタを利用して、このコンピュータの盗難を防止するためのロック用組体に関する。
【背景技術】
【０００２】　従来より、社内においてＰＣの盗難を防止するために、ＰＣをワイヤー等の連結具で固定部材（例えば、机等）に連結させて、その設置位置に止め置かせる技術は知られ、実用に供されている。
【考案の開示】
【考案が解決しようとする課題】
【０００３】　しかしながら、上述した連結具を用いる場合には、現在販売中のＰＣに、連結具を通す穴が形成されているものはなく、従って、先ず、ＰＣの表面に、連結具を通すための穴が形成されたフック部材を接着し無ければならないものである。このように、フック部材を一旦ＰＣの表面に接着してしまうと、これを取り外すことが極めて困難となり、これを無理やり取り外そうとすると、ＰＣの筐体を破損する虞もあり、改善が要望されている。【０００４】　この考案は、上述した事情に鑑みなされたもので、この考案の主たる目的は、簡単な構成で、ＰＣを実質的に移動することが出来ないようにして、盗難防止の効果を図ること出来るロック用組体を提供することである。【０００５】　また、この考案の別の目的は、ＰＣの筐体に何ら別部材をつけることなく、このＰＣをその設置場所に止め置かせて、盗難防止の効果を奏することの出来るロック用組体を提供することである。【０００６】　また、この考案の他の目的は、ＬＡＮケーブル用コネクタの差込口への挿入状態をロックすることにより、ＰＣを移動することが出来ないようにして、盗難防止の効果を奏することの出来きるロック用組体を提供することである。
【課題を解決するための手段】
【０００７】　上述した課題を解決し、目的を達成するため、この考案に係わるロック用組体は、請求項１の記載によれば、ＬＡＮケーブルの先端に一体的に取り付けられ、抜き取り可能にコンピュータの差込口に挿入されて、その挿入状態をラッチされるＬＡＮケーブル用コネクタに着脱自在に取り付けられ、取り付け状態において、前記ＬＡＮケーブル用コネクタの前記差込口への挿入状態をロックし、取り外された状態において、前記ＬＡＮケーブル用コネクタを前記差込口から抜き取り可能とし、周方向に分離可能に設けられ、組み付けられた状態で前記ＬＡＮケーブル用コネクタの外周を、実質的に密着する状態で取り囲むようになされた第１及び第２の囲繞体と、前記第１の囲繞体に設けられ、前記コネクタの外周を取り囲むように組み付けられた状態で、前記コネクタに対してのこれの軸方向に沿う移動を係止する係止手段と、前記第２の囲繞体に設けられ、前記コネクタの外周を取り囲むように組み付けられた状態で、前記ＬＡＮケーブル用コネクタに備えられたラッチ用フラッパのラッチ解除方向の動きを規制する規制手段とを具備することを特徴としている。【０００８】　また、この考案に係わるロック用組体は、請求項２の記載によれば、前記第１及び第２の囲繞体の一方は、前記コネクタの外周を構成する４つの面のうちの３つの面を覆うように形成され、前記第１及び第２の囲繞体の他方は、前記コネクタの外周を構成する４つの面のうちの残りの１つの面を覆うように形成されていることを特徴としている。【０００９】　また、この考案に係わるロック用組体は、請求項３の記載によれば、前記第１の囲繞体が、前記コネクタの外周を構成する４つの面のうちの３つの面を覆うように形成され、前記第２の囲繞体が、前記コネクタの外周を構成する４つの面のうちの残りの１つの面を覆うように形成されていることを特徴としている。【００１０】　また、この考案に係わるロック用組体は、請求項４の記載によれば、前記係止手段は、前記コネクタの、前記ラッチ用フラッパが設けられた面以外の側の面に形成された溝に係止される係止用突起を備えることを特徴としている。【００１１】　また、この考案に係わるロック用組体は、請求項５の記載によれば、前記溝は、前記コネクタの、前記ラッチ用フラッパが設けられた面とは反対側の面に形成されていることを特徴としている。【００１２】　また、この考案に係わるロック用組体は、請求項６の記載によれば、前記ラッチ用フラッパは、これが取り付けられたコネクタの面に向けて押し込まれることにより、前記ラッチを解除されるように設定されており、前記規制手段は、前記第１及び第２の囲繞体が前記コネクタの外周を取り囲むように組み付けられた状態で、前記第２の囲繞体から前記ラッチ用フラッパの根元付近まで延出し、該ラッチ用フラッパの押し込み方向の偏倚を規制する規制片を備えることを特徴としている。【００１３】　また、この考案に係わるロック用組体は、請求項７の記載によれば、前記第１及び第２の囲繞体は、錠前により、互いに分離不能に連結され、錠前が開錠されることにより、互いに分離可能となることを特徴としている。【００１４】　また、この考案に係わるロック用組体は、請求項８の記載によれば、前記第１及び第２の囲繞体は、前記コネクタの外周を取り囲むように組み付けられた状態で、互に重ねあわされる部分を有し、該重ね合わされ部分には、前記錠前のロック竿が相通されるロック穴が、互に連通する状態で形成されていることを特徴としている。
【考案の効果】
【００１５】　この考案のロック用組体によれば、簡単な構成で、ＰＣを実質的に移動することが出来ないようにして、盗難防止の効果を図ることが出来ることになる。【００１６】　また、この考案のロック用組体によれば、ＰＣの筐体に何ら別部材をつけることなく、このＰＣをその設置場所に止め置かせて、盗難防止の効果を奏することが出来ることになる。【００１７】　また、この考案のロック用組体によれば、ＬＡＮケーブル用コネクタの差込口への挿入状態をロックすることにより、ＰＣを移動することが出来ないようにして、盗難防止の効果を奏することが出来きることになる。
【考案を実施するめの最良の形態】
【００１８】　以下、この考案に係わるロック用組体の最良の形態としての一実施例の構成を、添付図面を用いて、詳細に説明する。
【実施例１】
【００１９】　先ず、図１及び図２に示すように、このロック組体１０は、ＬＡＮケーブル１００の先端に一体的に取り付けられ、抜き取り可能にコンピュータ（以下、単にＰＣと呼ぶ。）１０２の差込口１０４に挿入されて、その挿入状態をラッチされるＬＡＮケーブル用コネクタ（以下、単にコネクタと呼ぶ。）１０６に着脱自在に取り付けられるように構成されている。【００２０】　そして、このロック組体１０は、図１に示すように、コネクタ１０６に取り付けられた状態で、その組み付け状態を錠前１０８によりロックされるようになされており、図２に示すように、コネクタ１０６への取り付け状態において、コネクタ１０６の差込口１０４への挿入状態をロックし、コネクタ１０６から取り外された状態において、コネクタ１０６を差込口１０４から抜き取り可能とするように構成されている。そして、このようにコネクタ１０６の差込口１０４への挿入状態をロックすることにより、ＰＣ１０２のその設置場所からの移動を実質的に禁止し、このＰＣ１０２の盗難を防止することができるようになされている。【００２１】　このロック組体１０は、基本的には、周方向に分離可能に設けられ、互いに組み付けられた状態で、コネクタ１０６の外周を、実質的に密着する状態で取り囲むようになされた第１及び第２の囲繞体１２，１４と、第１の囲繞体１２に一体的に形成され、コネクタ１０６の外周を取り囲むように組み付けられた状態で、コネクタ１０６に対してのこれの軸方向に沿う移動を係止する係止手段としての係止用突起１６と、第２の囲繞体１４に一体的に形成られ、コネクタ１０６の外周を取り囲むように組み付けられた状態で、コネクタ１０６の上面１０６Ａ（ここで、上面とは、多数の端子が露出している底面１０６Ｂとは反対側の面を言う。）に備えられたラッチ用フラッパ１１０のラッチ解除方向の動きを規制する規制手段としての規制片１８とを備えて構成されている。【００２２】　ここで、第１の囲繞体１２は、図３乃至図６に示すように、正面視で略Ｕ字状に形成され、詳細には、コネクタ１０６の底面１０６Ａ（ここで、底面とは、これに取り付けられた多数の端子が露出している側の面を言う。）に対応する状態で配設された底部１２Ａと、この底部１２Ａの軸方向に沿う一方の側縁から起立した第１の起立片１２Ｂ及び他方の側縁から起立した第２の起立片１２Ｃと、この底部１２Ａの軸方向に直行する方向に沿う後縁（ここで、前方とは、ＬＡＮケーブル１００の先端に向かう方向を言い、後方とは前方の反対方向を言う。）から起立した第３の起立片１２Ｄを備えて一体的に形成されている。【００２３】　また、図３に示すように、第１の起立片１２Ｂの上部には、第２の囲繞体１４のフック用突起１４Ａが横方向から挿通されるフック用溝１２Ｅが、厚さ方向に貫通した状態で形成されている。また、他方の起立片１２Ｃは、一方の起立片１２Ｂよりも高く設定されていて、この高くなされた部分には、上述した錠前１０８のロック竿１０８Ａが挿通される一方のロック穴１２Ｆが形成され、また、第２の起立片１２Ｃの、上述したフック用溝１２Ｅに対向する位置（即ち、同じ高さ位置）に、第２の囲繞体１４の係止用溝１４Ｂと入れ子状態で嵌合する係止用溝１２Ｇが、後端縁から前方に向かって約半幅分だけ延出した状態で形成されている。【００２４】　尚、上述した第３の起立片１２Ｄにより、上述した係止用突起１６が規定されている。即ち、この係止用突起１６は、図２に示すように、コネクタ１０６に組み付けられた状態で、コネクタ１０６の後方部位に多数形成された溝部１０６Ｃの一つに係止可能になされていて、この係止された状態で、第１の囲繞体１２（従って、ロック組体１０全体）の軸方向に沿う移動が禁止されるようになされている。【００２５】　また、上述した第２の囲繞体１４は、図７乃至図９に示すように、正面視で略Ｌ字状に形成され、詳細には、板状の本体１４Ｃと、この本体１４Ｃの前記第１の囲繞体１２の一方の側縁と同じ側の側縁から、幅方向に沿って外方に延出、第１の囲繞体１２のフック用溝１２Ｅに嵌合可能に設定されたフック用突起１４Ａと、この本体１４Ｃの前記第１の囲繞体１２の他方の側縁と同じ側から起立した起立片１４Ｄと、この本体１４Ｃの前縁から前方に突出する突出片１４Ｅとを備えて一体的に形成されている。尚、この実施例においては、突出片１４Ｅは、上述した規制片１８として機能するように設定されている。【００２６】　また、図８に示すように、起立片１４Ｄには、第１の囲繞体１２と組み付けられた状態で、ロック穴１２Ｆと連通するように設定された他方のロック穴１４Ｆが形成され、また、本体１４Ｃの起立片１４Ｄが起立する側の端縁には、上述した係止用溝１２Ｇと入れ子状態で係合する係止用溝１４Ｂが、前端縁から後方に向かって約半幅分だけ延出した状態で形成されている。【００２７】　以上のように構成される第１及び第２の囲繞体１２，１４を互いに組み立てる組み立て手順について、図１０乃至図１２を参照して説明する。【００２８】　先ず、図１０に示すように、第１の囲繞体１２に対して、第２の囲繞体１４を後方から組み付ける。この場合、第２の囲繞体１４のフック用突起１４Ａが、第１の囲繞体１２の第１の起立片１２Ｂの直内側に位置するとともに、このフック用突起１４Ａが第１の囲繞体１２のフック用溝１２Ｅと同一高さ位置となる状態で組み付ける。これにより、必然的に、第２の囲繞体１４の起立片１４Ｄは、第１の囲繞体１２の第２の起立片１２Ｃの外側に位置する状態となるとともに、第２の囲繞体１４の係止用溝１４Ｂと、第１の囲繞体１２の係止用溝１２Ｇとが、互いに入れ子状に係合する状態となる。【００２９】　このように第２の囲繞体１４を第１の囲繞体１２に対して後方から組み付けることにより、図１１に示すように、フック用突起１４Ａがフック用溝１２Ｅの直内側に位置し、且つ、互いの係止用溝１２Ｇ，１４Ｂが入れ子状に係合する状態となる。【００３０】　この後、第２の囲繞体１４を第１の囲繞体１２に対して、これの幅方向に沿って内方に押し込むように移動させる。これにより、図１２に示すように、フック用突起１４Ａがフック用溝１２Ｅ内に嵌合し、且つ、第２の起立片１２Ｃと起立片１４Ｄとが互いに重なり合う状態となると共に、互いに形成されたロック穴１２Ｆ，１４Ｆが互いに連通する状態となる。そして、錠前１０８のロック竿１０８Ａを、互いに連通したロック穴１２Ｆ，１４Ｆに同時に挿通する。このようにして、図１３乃至図１５に示すように、ロック用組体１０が互いに分離可能な状態で構成されることになる。【００３１】　尚、上述した組み立て手順の説明においては、これが組み付けられるコネクタ１０６との関係を無視して説明したが、この実施例のロック用組体１０は、コネクタ１０６の外周に組み付けられるもので、次に、図２を再び参照して、ロック用組体１０のコネクタ１０６への組み付け手順を説明する。尚、以下の説明において、ロック用組体１０の組立手順自体の説明は、既に説明しているので省略する。【００３２】　先ず、第１の囲繞体１２を、コネクタ１０６の三面（即ち、両側面及び底面）を取り囲むようにコネクタ１０６に取り付ける。この状態において、第１の囲繞体１２の底部１２Ａは、コネクタ１０６の底面に対向することになる。この状態で、更に、第１の囲繞体１２の係止用突起１６（即ち、第３の起立片１２Ｄ）を、コネクタ１０６の後方に形成された溝部１０６Ｃに挿入され、これにより、第１の囲繞体１２の軸方向に沿う移動が禁止される状態となる。【００３３】　このように、第１の囲繞体１２をコネクタ１０６の三面を取り囲む状態で取り付けた後、第２の囲繞体１４を、これの本体１４Ｃがコネクタ１０６の上面を覆うように、第１の囲繞体１２に対して取り付ける。このようにコネクタ１０６の外周を取り囲むように、第１の囲繞体１２に第２の囲繞体１４を組み付けた状態で、図示するように、第２の囲繞体１４に一体的に取り付けられた規制片１８（即ち、突出片１４Ｅ）は、コネクタ１０６のフラッパ１１０の基端部付近まで延出する状態となる。【００３４】　このようにして、詳細は後述するが、フラッパｌ１０を押し込んで、差込口１０４へのラッチ状態を解除しようとしても、このロック用組体１０が組み付けられた状態では、規制片１８がフラッパ１１０の基端部付近まで延出しているので、これが邪魔となって、押し込み動作が阻害されて、差込口１０４へのラッチ状態の解除が出来ない状態となる。即ち、このロック用組体１０により、コネクタ１０６の差込口１０４への挿入状態のラッチが解除されない状態、換言すれば、コネクタ１０６が差込口１０４にロックされた状態となる。【００３５】　このように、この実施例に係わるロック用組体１０をコネクタ１０６の周囲を取り囲むような状態で組み付けることにより、コネクタ１０６のフラッパ１１０の押し込み方向の移動、即ち、挿入状態のラッチを解除する方向の移動が禁止され、コネクタ１０６が差込口１０４にロックされた状態となる。この結果、ＬＡＮケーブル１００での接続状態が解除されずに、これが接続されたＰＣ１０２を強制的にその設置場所から移動させようとしても、ＬＡＮケーブル１００の接続を外せずに、移動させることが不可能となり、これにより、ＰＣ１０２の盗難を確実に防止することができることになる。【００３６】　尚、図１６及び図１７を参照して、通常の状態における（即ち、この実施例のロック用組体１０を用いていない状態における）コネクタ１０６の差込口１０４への挿入動作を説明する。【００３７】　先ず、コネクタ１０６の上面１０６Ａには、弾性的に押し込み偏倚自在にフラッパ１１０が取り付けられており、詳細には、図１６に示すように、これの先端が、コネクタ１０６の上面１０６Ａの前端縁に一体的に取り付けられている。【００３８】　ここで、フラッパ１１０は、その基端部１１０Ａが幅広に設定されており、この基端部１１０Ａに引き続く先端部１１０Ｂは、基端部１１０Ａよりも幅狭に設定されている。即ち、フラッパ１１０は、幅方向に関して２段構造を呈しており、略中ほどで、段差が形成されているものである。【００３９】　一方、差込口１０４は、図１７に示すように、開口部の上縁には、フラッパ１１０の幅広の基端部１１０Ａが挿通可能な第１の溝部１０４Ａが形成されており、この第１の溝部１０４Ａの上底面には、フラッパ１００の幅広の基端部１１０Ａが挿通不能で、幅狭の先端部１１０Ｂのみが挿通可能な第２の溝部１０４Ｂが形成されている。尚、第２の溝部１０４Ｂの軸方向に沿う厚さは薄く設定され、所謂係止用の肩部が規定されている。【００４０】　差込口１０４は、このような構造を呈しているので、再び図１６に示すように、コネクタ１０６が差込口１０４に挿入されてくると、フラッパ１１０の幅広の基端部１１０Ａは、第１の溝部１０４Ａを通り抜けながら、これの上底面で徐々に押し下げられることになる。そして、フラッパ１１０の先端部１１０Ｂに移行する段差部が、上述した肩部を通過した時点で、幅狭の先端部１１０Ｂが自身の弾性力により第２の溝部１０４Ｂ内に落ち込むように入り込むこととなり、これにより、フラッパ１１０の段差部が差込口１０４の肩部に係止されることになる。このような段差部と肩部との係止関係により、コネクタ１０６の差込口１０４への差込状態が、抜き取り不能にラッチされることになる。【００４１】　一方、この差込状態から、コネクタ１０６を抜き取る際には、フラッパ１１０を自身の弾性力に抗して押し下げる。この押し下げにより、上述した段差部と肩部との間の係止状態が解除され、コネクタ１０６は差込口１０４から抜き出させられる状態となる。即ち、コネクタ１０６の差込口１０４へのラッチ状態が解除されることになる。この解除状態で、コネクタ１０６を差込口１０４から引き抜くことにより、コネクタ１０６は差込口１０４から引き出されることになる。【００４２】　このように構成されたコネクタ１０６及び差込口１０４の構成において、この実施例のロック用組体１０を用いることにより、組み付けられたロック用組体１０の第２の囲繞体１４に一体的に形成された規制片１８が、フラッパ１１０の押し下げ移動を邪魔することとなり、これにより、フラッパ１１０の押し下げによるラッチの解除が阻止されることになる。この結果、コネクタ１０６は差込口１０４に差し込まれた状態を維持（即ち、ロック）されることとなり、コネクタ１０６の差込口１０４からの抜き取りが確実に禁止されることになる。【００４３】　以上詳述したように、この実施例に係わるロック用組体１０を用いて、ＰＣ１０２の差込口１０４に差し込まれているコネクタ１０６の、該差込口１０４への差込状態をロックすることにより、ＰＣ１０２をその設置場所に効果的に止め置くことができる効果を奏することができるものであり、これにより、安易にＰＣ１０２を他の場所に移動させることを含めて、盗難から有効に防止することができるものである。即ち、この実施例においては、従来のロック用のワイヤー等の連結具を用いて、ＰＣ１０２をその設置場所に止め置くようにしていたことと比較して、ＰＣ１０２の筐体に何ら別部材を接着することなく、ＰＣ１０２に既に連結されているコネクタ１０６の抜き取りをロック（禁止）することにより、盗難防止の効果を奏することができるものであり、その有用性はきわめて高いものである。【００４４】　特に、この実施例に係わるロック用組体１０を用いる状態において、ＰＣ１０２を持ち去ろう（その設置場所から強制的に移動させよう）とする者は、ＬＡＮケーブル１００を切断するしか手段がなくなるものである。この点に関しては、従来のロック用ワイヤー等の連結具を用いている場合においても同様に、このワイヤー等の連結具を強力なカッター等を用いて切断すれば、連結状態が解除されて、ＰＣ１０２は持ち去り可能な状態となる。【００４５】　ここで、従来のワイヤー等の連結具は、単に、機械的にＰＣ１０２を固定場所に対して連結しているだけであり、ワイヤー等の連結具の切断を、全く感知することが出来ないのに対して、この実施例に係わるロック用組体１０を用いている状態においては、ＬＡＮケーブル１００を介しての連結状態をロックしているので、上述したように、ＬＡＮケーブル１００を切断するしか、連結状態を解除する手段は無いものであり、ひとたび、このＬＡＮケーブル１００が切断されると、例えば、金属製のカッタ刃がＬＡＮケーブル１００内のコードに接触してショートする状態となり、このショート現象が、ＬＡＮケーブル１００が接続される相手側であるサーバにより検知されて、このサーバにおいて、ＬＡＮケーブル１００の意図しない切断が認識されえる状態となるものである。また、例えショート現象が検知されない場合においても、切断された後のＬＡＮケーブル１００においては、コードがオープン状態となるものであり、このオープン状態がサーバにより検知されて、同様に、このサーバにおいて、ＬＡＮケーブル１００の意図しない切断が認識されえる状態となるものである。【００４６】　即ち、この実施例のロック用組体１０を用いることにより、ＰＣ１０２の盗難を防止することのみならず、仮に盗難された場合において、即座にその盗難された事実を検知することが出来、これにより所謂セキュリティーの向上を図ることができるものである。【００４７】　一方で、社内の業務用のＰＣ１０２は、通常、ネットワーク接続されているものであり、このため、ＬＡＮケーブル１００がコネクタ１０６を介して、ＰＣ１０２の筐体背面にあるコネクタ受け用の差込口１０４に差し込まれている状態で、実際に使用されているものである。ここで、このようにネットワーク接続された状態で、使用者が自分のみの都合を考えて、他のネットワークにアクセスしようとすると、単に、コネクタ１０６を取り外して、他のネットワークに接続されたＬＡＮケーブルコネクタを差し直しすれば良いことになる。このような使用者の勝手は、会社側としては好ましいものではなく、確実に禁止したいところである。【００４８】　しかしながら、このようなコネクタ１０６の勝手な抜き差しに対して有効な抑制手段が、従来、存在していなかったものであるが、この実施例に係わるロック用組体１０を用いることにより、上述した盗難防止の効果とは別に、コネクタ１０６の勝手な差し替えを確実に抑止させて、他のネットワークへの接続を防止することができる効果を、更に奏することができるものである。【００４９】　更に、会社内で業務用として使われているＰＣ１０２がネットワークを介してサーバーに接続されている場合において、個人使用のＰＣに、業務用のデータを取り込むことは、厳に禁止されなければならないものである。しかしながら、この業務用のＰＣ１０２の差込口１０４に差し込まれているコネクタ１０６は、簡単に抜き取られ得る状態にあり、このため、個人使用のＰＣに差し替えられて、この個人使用のＰＣからサーバーにアクセスされて業務用のデータが取り込まれてしまう虞が、現に存在するものである。【００５０】　このような虞に対して、この実施例に係わるロック用組体１０を用いることにより、上述した盗難防止の効果とは別に、コネクタ１０６の勝手な差し替えを確実に抑制させて、サーバーへの個人用のＰＣの接続を効果的に防止し、サーバー内のデータの保全を図ることの出来る効果を、更に奏することができるものである。【００５１】　この考案は、上述した実施例１の構成に限定されることなく、この考案の要旨を逸脱しない範囲で種々の変形可能であることは言うまでもない。【００５２】　例えば、上述した実施例１においては、係止用突起１６が設けられた第１の囲繞体１２を、正面視でＵ字状に、規制片１８が設けられた第２の囲繞体１４を、正面視でＬ字状に、夫々構成するように説明したが、この考案は、このような構成に限定されること無く、例えば、係止用突起１６が設けられた第１の囲繞体を正面視でＬ字状に、規制片１８が設けられた第２の囲繞体を正面視でＵ字状に、それぞれ構成することのでき、上記実施例１と同よな効果を奏することが出来ることは言うまでもない。【００５３】　また、上述した実施例１においては、ロック穴１２Ｆ，１４Ｆは、互いに起立する第２の起立片１２Ｃ及び起立片１４Ｄに、夫々形成されるように説明したが、この考案は、このような構成に限定されること無く、たとえば、第１の囲繞体１２においては、第２の起立片１２Ｃの上方部分を横方向外方に向けて水平に折曲させると共に、この水平部分にロック穴１２Ｆを形成させ、また、第２の囲繞体１４を、正面視でＬ字状に形成せずに略平板状に形成させ、第１の囲繞体１２の第２の起立片１２Ｃから更に外方に延出させ、第２の起立片１２Ｃの更に折曲された水平部分と重なり合うように設定し、この延出部分にロック穴１４Ｆを形成させ、互いに重なり合わされた状態で、両ロック穴１２Ｆ，１４Ｆが、互いに連通するような状態となるように設定しても、上記実施例１と同様な効果を奏することができることは言うまでもない。
【産業上の利用可能性】
【００５４】　以上詳述したように、この考案に係わるロック用組体は、ＰＣの盗難防止のための従来の連結用のワイヤーの使用に取って替わる画期的な技術であり、しかも、単に、盗難防止の効果（即ち、盗難防止器具への利用可能性）のみならず、セキュリティの向上にも役立つ（即ち、セキュリティ性向上用器具への利用可能性）ものであり、その利用可能性は具体性を有し、且つ、高いレベルにあるものである。しかも、このロック用組体を用いることにより、上述の盗難防止やセキュリティの向上の効果に付加した状態で、他のネットワークへの接続の禁止や、他のＰＣの接続によるサーバーへの個人的なアクセスからの保全等、ネットワーク保全用器具への利用可能性も具体的に存在するものである。
【図面の簡単な説明】
【００５５】
【図１】　この考案に係わるロック用組体の組み上げられた状態を示す斜視図である。
【図２】　図１に示すロック用組体が組み付けられ、コネクタの差込口への挿入状態がロックされた状態を示す断面図である。
【図３】　図１に示すロック用組体を構成する第１の囲繞体を示す左側面図である。
【図４】　図３に示す第１の囲繞体の右側面図である。
【図５】　図３に示す第１の囲繞体の平明図である。
【図６】　図３に示す第１の囲繞体の背面図である。
【図７】　図１に示すロック用組体を構成する第２の囲繞体を示す右側面図である。
【図８】　図７に示す第２の囲繞体の平面図である。
【図９】　図７に示す第２の囲繞体の左側面図である。
【図１０】　第１の囲繞体に第２の囲繞体を組み込む直前の状態を示す平面図である。
【図１１】　図１０に示す状態から、第１の囲繞体に第２の囲繞体を組み込んだ直後の状態を示す平面図である。
【図１２】　図１１に示す状態から、第１の囲繞体に対して第２の囲繞体を幅方向に沿って移動させた状態を示す平面図である。
【図１３】　図１２に示す組み上げ後のロック用組体の構成を示す背面図である。
【図１４】　図１２に示す組み上げ後のロック用組体の構成を示す右側面図である。
【図１５】　図１２に示す組み上げ後のロック用組体の構成を示す左側面図である。
【図１６】　コネクタの差込口への挿入動作を示す断面図である。
【図１７】　図１６に示す差込口の構成を取り出して示す斜視図である。
【符号の説明】
【００５６】１０　　ロック用組体
１２　　第１の囲繞体
　１２Ａ　　底部
　１２Ｂ　　第１の起立片
　１２Ｃ　　第２の起立片
　１２Ｄ　　第３の起立片
　ｌ２Ｅ　　フック用溝
　１２Ｆ　　ロック穴
　１２Ｇ　　係止用溝
１４　　第２の囲繞体
　１４Ａ　　フック用突起
　１４Ｂ　　係止用溝
　１４Ｃ　　本体
　１４Ｄ　　起立片
　１４Ｅ　　突出片
　１４Ｆ　　ロック穴
１６　　係止用突起（第３の起立片１２Ｄ）
１８　　規制片（突出片１４Ｅ）
１００　　ＬＡＮケーブル
１０２　　コンピュータ（ＰＣ）
１０４　　差込口
　１０４Ａ　　第１の溝部
　１０４Ｂ　　第２の溝部
１０６　　ＬＡＮケーブル用コネクタ（コネクタ）
　１０６Ａ　　上面
　１０６Ｂ　　底面
　１０６Ｃ　　溝部
１０８　　錠前
　１０８Ａ　　ロック竿
１１０　　ラッチ用フラッパ
　１１０Ａ　　幅広の基端部
　１１０Ｂ　　幅狭の先端部
【図１】
0003098991.tif 000003
【図２】
0003098991.tif 000004
【図３】
0003098991.tif 000005
【図４】
0003098991.tif 000006
【図５】
0003098991.tif 000007
【図６】
0003098991.tif 000008
【図７】
0003098991.tif 000009
【図８】
0003098991.tif 000010
【図９】
0003098991.tif 000011
【図１０】
0003098991.tif 000012
【図１１】
0003098991.tif 000013
【図１２】
0003098991.tif 000014
【図１３】
0003098991.tif 000015
【図１４】
0003098991.tif 000016
【図１５】
0003098991.tif 000017
【図１６】
0003098991.tif 000018
【図１７】
0003098991.tif 000019